(57)【特許請求の範囲】
【請求項１】
内容物を収納する充填空間に通じる口部が密封シートによって密封された容器本体と、該容器本体の口部に固定されたオーバーキャップとを備え、前記オーバーキャップの天面壁に形成された開口部に配置された開封刃によって前記密封シートを押し切り可能に構成され、
前記開封刃は、開封刃本体と操作片とを備え、
前記開封刃本体は、該開封刃本体の少なくとも前部に形成された刃部と、前記開封刃本体の後部に形成され、前記開封刃本体の両側方に延びる一対の支持片とを備え、
前記一対の支持片の前部は、一対の第１ヒンジを介してそれぞれ前記天面壁に連結されており、
前記操作片の前部は、前記開封刃本体の後部に第２ヒンジを介して連結されており、
前記操作片は、該操作片の後部を引き上げることで、前記操作片の前記第２ヒンジを介した回動に伴い前記開封刃本体に当接する当接部を備えると共に、前記操作片の更なる引き上げにて、前記当接部で前記開封刃本体を押圧し、前記開封刃本体を前記一対の第１ヒンジを介して回動させ、前記刃部で前記密封シートを押し切るようになっており、
前記天面壁は、一対のストッパを備え、
前記一対のストッパは、前記操作片の後部への所定の大きさ以下の押し下げ力の付与にて、前記操作片の下面に当接して該操作片の押し下げを阻止できる一方、前記操作片の後部への前記所定の大きさを超える押し下げ力の付与にて、前記操作片が前記一対のストッパの間を下方へ通過できるようになっており、
前記天面壁は、前記開口部の一部を区画すると共に前記開封刃の両側方に配置された一対の側壁部を備え、
前記一対の側壁部は、上下方向に延びる凹溝部を備え、
前記一対の支持片の前部は、前記一対の第１ヒンジを介してそれぞれ前記凹溝部の前側壁面に連結されており、
前記凹溝部の後側壁面には、前記一対の支持片の下面との接触によって、前記開封刃本体の前記密封シートの押し切り後の前傾姿勢を保持する段部が設けられていることを特徴とする、開封刃を有するオーバーキャップ付き容器。
【請求項２】
前記一対のストッパは、上下方向に延びる一対のリブである、請求項１に記載の、開封刃を有するオーバーキャップ付き容器。
【請求項３】
前記開封刃本体の後部上面には、前記開封刃本体の上方及び後方に開口する係合凹部が形成されており、
前記操作片の当接部は、前記操作片の前端面から前方へ向けて突設されると共に前記操作片の後部の引き上げにて前記係合凹部に嵌る係合凸部を備える、請求項１又は２に記載の、開封刃を有するオーバーキャップ付き容器。
【請求項４】
前記オーバーキャップは、前記開封刃本体が水平姿勢をとり、前記操作片が垂直姿勢をとる状態が成形時の状態となるように、射出成形によって形成されており、
前記一対のストッパは、前記操作片の後部への所定の大きさ以下の引き上げ力の付与にて、前記操作片の上面に当接して該操作片の引き上げを阻止できる一方、前記操作片の後部への前記所定の大きさを超える引き上げ力の付与にて、前記操作片が前記一対のストッパの間を上方へ通過できるようになっている、請求項１〜３のいずれか一項に記載の、開封刃を有するオーバーキャップ付き容器。
【請求項５】
請求項１〜４のいずれか一項に記載のオーバーキャップ付き容器に、飲食品を充填密封してなる飲食品包装体。
【発明の詳細な説明】
【技術分野】
【０００１】
本発明は、口部が密封シートによって密封された容器本体と、該容器本体の口部に固定されたオーバーキャップとを備え、オーバーキャップの天面壁に形成された開口部に配置された開封刃によって密封シートを押し切り可能な、開封刃を有するオーバーキャップ付き容器及び該オーバーキャップ付き容器を利用した飲食品包装体に関し、特に、開封刃が内容物注出時の妨げになることを抑制しようとするものである。
【背景技術】
【０００２】
従来、この種のオーバーキャップ付き容器として、例えば特許文献１に記載されるようなものが知られている。特許文献１では、オーバーキャップの天面壁は、該天面壁の開口部の一部を区画すると共に開封刃の両側方に配置された一対の側壁部を備えており、該一対の側壁部間に架け渡された板状の支持片に開封刃の前後方向中央部が連結されている。また、開封刃は、該開封刃の前部に刃部を有すると共に、該開封刃の後部が操作部となっており、操作部の引き上げにて、支持片を捩り変形させて該支持片の周りに開封刃を一体回転させ、刃部で密封シートを押し切るようになっている。そして、この状態から、操作部の引き上げを解除することで、支持片の復元により、開封刃が一体回転して水平状態に戻るようになっている。
【先行技術文献】
【特許文献】
【０００３】
【特許文献１】特許第５３９５４８５号公報
【発明の概要】
【発明が解決しようとする課題】
【０００４】
しかしながら、特許文献１に記載されるような従来のオーバーキャップ付き容器では、例えばオーバーキャップに唇をつけて内容物を飲む際など、内容物の注出時に、開封刃が邪魔になる惧れがあり、そのような惧れを極力回避できるものが求められていた。
【０００５】
本発明は、前記の現状に鑑み開発されたもので、開封刃が内容物注出時の妨げになりにくい、開封刃を有するオーバーキャップ付き容器を提供することを目的とする。また、本発明は、このようなオーバーキャップ付き容器を利用した飲食品包装体を提供することを目的とする。
【課題を解決するための手段】
【０００６】
すなわち、本発明の要旨構成は以下のとおりである。
１．内容物を収納する充填空間に通じる口部が密封シートによって密封された容器本体と、該容器本体の口部に固定されたオーバーキャップとを備え、前記オーバーキャップの天面壁に形成された開口部に配置された開封刃によって前記密封シートを押し切り可能に構成され、
前記開封刃は、開封刃本体と操作片とを備え、
前記開封刃本体は、該開封刃本体の少なくとも前部に形成された刃部と、前記開封刃本体の後部に形成され、前記開封刃本体の両側方に延びる一対の支持片とを備え、
前記一対の支持片の前部は、一対の第１ヒンジを介してそれぞれ前記天面壁に連結されており、
前記操作片の前部は、前記開封刃本体の後部に第２ヒンジを介して連結されており、
前記操作片は、該操作片の後部を引き上げることで、前記操作片の前記第２ヒンジを介した回動に伴い前記開封刃本体に当接する当接部を備えると共に、前記操作片の更なる引き上げにて、前記当接部で前記開封刃本体を押圧し、前記開封刃本体を前記一対の第１ヒンジを介して回動させ、前記刃部で前記密封シートを押し切るようになっており、
前記天面壁は、一対のストッパを備え、
前記一対のストッパは、前記操作片の後部への所定の大きさ以下の押し下げ力の付与にて、前記操作片の下面に当接して該操作片の押し下げを阻止できる一方、前記操作片の後部への前記所定の大きさを超える押し下げ力の付与にて、前記操作片が前記一対のストッパの間を下方へ通過できるようになっていることを特徴とする、開封刃を有するオーバーキャップ付き容器。
【０００７】
２．前記天面壁は、前記開口部の一部を区画すると共に前記開封刃の両側方に配置された一対の側壁部を備え、
前記一対の側壁部は、上下方向に延びる凹溝部を備え、
前記一対の支持片の前部は、前記一対の第１ヒンジを介してそれぞれ前記凹溝部の前側壁面に連結されており、
前記一対の支持片の下端部と前記凹溝部の後側壁面との接触によって、前記開封刃本体の前記密封シートの押し切り後の前傾姿勢が保持される、前記１の、開封刃を有するオーバーキャップ付き容器。
【０００８】
３．前記凹溝部の後側壁面には、前記一対の支持片の下面との接触によって、前記開封刃本体の前記密封シートの押し切り後の前傾姿勢を保持する段部が設けられている、前記２の、開封刃を有するオーバーキャップ付き容器。
【０００９】
４．前記一対のストッパは、上下方向に延びる一対のリブである、前記１〜３のいずれかの、開封刃を有するオーバーキャップ付き容器。
【００１０】
５．前記開封刃本体の後部上面には、前記開封刃本体の上方及び後方に開口する係合凹部が形成されており、
前記操作片の当接部は、前記操作片の前端面から前方へ向けて突設されると共に前記操作片の後部の引き上げにて前記係合凹部に嵌る係合凸部を備える、前記１〜４のいずれかの、開封刃を有するオーバーキャップ付き容器。
【００１１】
６．前記オーバーキャップは、前記開封刃本体が水平姿勢をとり、前記操作片が垂直姿勢をとる状態が成形時の状態となるように、射出成形によって形成されており、
前記一対のストッパは、前記操作片の後部への所定の大きさ以下の引き上げ力の付与にて、前記操作片の上面に当接して該操作片の引き上げを阻止できる一方、前記操作片の後部への前記所定の大きさを超える引き上げ力の付与にて、前記操作片が前記一対のストッパの間を上方へ通過できるようになっている、前記１〜５のいずれかの、開封刃を有するオーバーキャップ付き容器。
【００１２】
７．前記１〜６のいずれかのオーバーキャップ付き容器に、飲食品を充填密封してなる飲食品包装体。
【発明の効果】
【００１３】
本発明に従うオーバーキャップ付き容器によれば、開封刃における操作片の後部を引き上げることで、操作片の第２ヒンジを介した回動に伴い、操作片の当接部を開封刃本体に当接させ、操作片の更なる引き上げにて当接部で開封刃本体を押圧し、開封刃本体を一対の第１ヒンジを介して回動させ、刃部で密封シートを押し切ることができる。そして、この状態から操作片の後部に押し下げ力を付与することで操作片の下面を一対のストッパに当接させ、操作片の後部に所定の大きさを超える押し下げ力を付与することで、操作片が一対のストッパの間を下方へ通過し、以後、操作片や開封刃本体に特段の外力が作用しない限り、開封刃本体の前傾姿勢及び操作片の後傾姿勢が維持される。
【００１４】
したがって、例えば、オーバーキャップに唇をつけて内容物を飲む際に、オーバーキャップの開口部を通じた内容物の注出を開封刃本体が妨げたり、操作片が鼻に当たったりすることを回避することができる。
【００１５】
したがって、本発明によれば、開封刃が内容物注出時の妨げになりにくい、開封刃を有するオーバーキャップ付き容器を提供することができる。また、本発明によれば、このようなオーバーキャップ付き容器を利用した飲食品包装体を提供することができる。
【図面の簡単な説明】
【００１６】
【図１】本発明の一実施形態に係る、開封刃を有するオーバーキャップ付き容器の側面図である。
【図２】図１のオーバーキャップ付き容器の平面図である。
【図３】図１のオーバーキャップ付き容器におけるオーバーキャップの底面図である。
【図４】図２のＡ−Ａ断面図である。
【図５】図１のオーバーキャップ付き容器の開封途中の様子を図４に準じて示す断面図である。
【図６】図１のオーバーキャップ付き容器の開封完了時の様子を図４に準じて示す断面図である。
【図７】図６の状態から操作片の後部に押し下げ力を付与して操作片の下面を一対のストッパに当接させた状態を示す断面図である。
【図８】図７の状態から操作片の後部を更に押し下げ、操作片が一対のストッパの間を下方へ通過した状態を示す断面図である。
【図９】図１のオーバーキャップ付き容器におけるオーバーキャップの成形時の状態を図４に準じて示す断面図である。
【図１０】図１のオーバーキャップ付き容器におけるオーバーキャップの成形時の状態を示す平面図である。
【発明を実施するための形態】
【００１７】
以下、図１〜図１０を参照して、本発明の一実施形態に係る、開封刃を有するオーバーキャップ付き容器１について詳細に例示説明する。
なお、本明細書において、上下方向とは、オーバーキャップ付き容器１の正立状態を基準とし、容器本体４に対してオーバーキャップ５が配置される方向を上方とし、その反対方向を下方とする。また、前後方向とは、開封刃９の延在方向であって、操作片１１に対して開封刃本体１０が位置する方向を前方とし、その反対方向を後方とする。また、開封刃９の側方とは、前述した上下方向及び前後方向と直交する方向を意味する。
【００１８】
図１〜図４に示すように、本実施形態に係る、開封刃を有するオーバーキャップ付き容器１は、内容物を収納する充填空間に通じる口部２（図４参照）が密封シート３によって密封された容器本体４と、該容器本体４の口部２に固定されたオーバーキャップ５とを備えている。
【００１９】
なお、容器本体４に充填密封される内容物は、コーヒー、紅茶などの飲食品とすることが好ましく、内容物を飲食品とすることで、オーバーキャップ付き容器１を飲食品包装体として利用することができる。また、本実施形態では、オーバーキャップ５は、ＰＥＴ（ポリエチレンテレフタレート）やＰＰ（ポリプロピレン）などの合成樹脂を射出成形することで形成されているが、その他の製法によって形成することも可能である。また、オーバーキャップ付き容器１には、オーバーキャップ５に着脱自在に被さるカバーキャップ（図示省略）を設け、開封前はカバーキャップによって、後述する開封刃９の誤操作を防止し、オーバーキャップ５やその内側を清潔に保てるようにすることが好ましい。
【００２０】
オーバーキャップ５は、容器本体４の口部２に固定される周壁６を備えており、周壁６の内周側には、密封シート３と間隔を空けて対向する天面壁７が設けられている。天面壁７には、開口部８が形成されており、該開口部８には、密封シート３を押し切り可能な開封刃９が配置されている。
【００２１】
開封刃９は、開封刃本体１０と操作片１１とを備えている。開封刃本体１０は、該開封刃本体１０の少なくとも前部に形成された刃部１２と、開封刃本体１０の後部に形成され、開封刃本体１０の両側方に延びる一対の支持片１３とを備えている。一対の支持片１３の前部は、一対の第１ヒンジ１４を介してそれぞれ天面壁７に連結されている。より具体的には、天面壁７は、開口部８の一部を区画すると共に開封刃９の両側方に配置された一対の側壁部１５を備え、該一対の側壁部１５は、上下方向に延びる凹溝部１６を備えており、一対の支持片１３の前部は、一対の第１ヒンジ１４を介してそれぞれ凹溝部１６の前側壁面に連結されている。凹溝部１６は、本例では、一対の側壁部１５を凹状に折り曲げ、開封刃９から離れる方向に窪んだ形状とすることで形成されている。
【００２２】
操作片１１の前部は、開封刃本体１０の後部に第２ヒンジ１７を介して連結されている。なお、第２ヒンジ１７は、本例では、開封刃本体１０の後端面における両側部にそれぞれ設けられており、操作片１１の裏面に連結されている。また、操作片１１は、該操作片１１の後部を引き上げることで、操作片１１の第２ヒンジ１７を介した回動に伴い開封刃本体１０に当接する当接部１８を備えている。そして、操作片１１は、操作片１１の更なる引き上げにて、当接部１８で開封刃本体１１を押圧し、開封刃本体１１を一対の第１ヒンジ１４を介して回動させ、図５〜図６に示すように、刃部１２で密封シート３を押し切るようになっている。
【００２３】
ここに、オーバーキャップ付き容器１は、図６に示したように、一対の支持片１３の下端部と凹溝部１６の後側壁面との接触によって、開封刃本体１０の密封シート３の押し切り後の前傾姿勢が保持されるように構成することが好ましい。より具体的には、凹溝部１６の後側壁面には、一対の支持片１３の下面との接触によって、開封刃本体１０の密封シート３の押し切り後の前傾姿勢を保持する段部１６ａを設けることが好ましい。また、段部１６ａを設けずに、一対の支持片１３の下端部と凹溝部１６の後側壁面との接触によって、開封刃本体１０の密封シート３の押し切り後の前傾姿勢を保持するようにしてもよい。なお、本実施形態では、一対の支持片１３の下端部は、操作片１１の後部の引き上げによる開封刃本体１０の回動に伴い、図５に示した状態から図６に示した状態に至るまでの範囲で、一対の第１ヒンジ１４を弾性変形させつつ溝部１６の後側壁面上を上方に摺動するようになっている。
【００２４】
また、前述した当接部１８は、本例では、操作片１１の前端面から前方へ向けて突設されると共に操作片１１の後部の引き上げにて開封刃本体１１の係合凹部１９に嵌る係合凸部２０を備えている。ここに、開封刃本体１１の係合凹部１９は、開封刃本体１１の後部上面に、開封刃本体１１の上方及び後方に開口するように形成されている。
【００２５】
また、天面壁７は、一対のストッパ２１を備えている。一対のストッパ２１は、本例では、一対の側壁部１５にそれぞれ形成されると共に上下方向に延びる一対のリブによって構成されている。また、一対のストッパ２１は、操作片１１の後部への所定の大きさ以下の押し下げ力の付与にて、図７に示すように、操作片１１の下面に当接して該操作片１１の押し下げを阻止できる一方、操作片１１の後部への前記所定の大きさを超える押し下げ力の付与にて、図８に示すように、操作片１１が一対のストッパ２１の間を下方へ通過できるようになっている。
【００２６】
さらに、オーバーキャップ５は、本例では、図９及び図１０に示すように、開封刃本体１０が水平姿勢をとり、操作片１１が垂直姿勢をとる状態が成形時の状態となるように、射出成形によって形成されている。
【００２７】
また、一対のストッパ２１は、操作片１１の後部への所定の大きさ以下の引き上げ力の付与にて、操作片１１の上面に当接して該操作片１１の引き上げを阻止できる一方、操作片１１の後部への前記所定の大きさを超える引き上げ力の付与にて、操作片１１が一対のストッパ２１の間を上方へ通過できるようになっている。
【００２８】
かかる構成になる本実施形態に係る、開封刃を有するオーバーキャップ付き容器１によれば、開封時には、操作片１１の当接部１８を開封刃本体１０に当接させた図４に示した状態から、操作片１１の更なる引き上げにて、図５〜図６に示したように、当接部１８で開封刃本体１０を押圧し、開封刃本体１０を一対の第１ヒンジ１４を介して回動させ、刃部１２で密封シート３を押し切ることができる。
【００２９】
さらに、この状態から、操作片１１の後部に押し下げ力を付与することで、図７に示したように、操作片１１の下面を一対のストッパ２１に当接させることができる。そして、操作片１１の後部に所定の大きさを超える押し下げ力を付与することで、図８に示したように、操作片１１が、一対のストッパ２１の間を下方へ通過し、以後、操作片１１や開封刃本体１０に特段の外力が作用しない限り、開封刃本体１０の前傾姿勢及び操作片１１の後傾姿勢が維持される。
【００３０】
したがって、例えば、オーバーキャップ５に唇をつけて内容物を飲む際に、オーバーキャップ５の開口部８を通じた内容物の注出を開封刃本体１０が妨げたり、操作片１１が鼻に当たったりすることを回避することができる。このように、オーバーキャップ付き容器１によれば、開封刃９が内容物注出時の妨げになることを抑制することができる。
【００３１】
また、図６に示したように、一対の支持片１３の下端部と凹溝部１６の後側壁面との接触によって、開封刃本体１０の密封シート３の押し切り後の前傾姿勢が保持されるように構成した場合には、開封刃９が内容物注出時の妨げになることをより一層抑制することができる。さらに、凹溝部１６の後側壁面に、一対の支持片１３の下面との接触によって、開封刃本体１０の密封シート３の押し切り後の前傾姿勢を保持する段部１６ａを設けた場合には、開封刃本体１０の前傾姿勢をより確実に保持することが可能となる。
【００３２】
また、オーバーキャップ付き容器１によれば、一対のストッパ２１を上下方向に延びる一対のリブとして形成したので、簡単な構成によって前記の効果を得ることができる。
【００３３】
また、オーバーキャップ付き容器１によれば、操作片１１の当接部１８は、操作片１１の前端面から前方へ向けて突設されると共に操作片１１の後部の引き上げにて係合凹部１９に嵌る係合凸部２０を備える構成としたので、当接部１８で開封刃本体１０を押圧する際に、操作部１１と開封刃本体１０との位置関係が安定し、押圧力を効率的に伝達することができる。
【００３４】
さらに、オーバーキャップ付き容器１によれば、オーバーキャップ５を、図９及び図１０に示したように、開封刃本体１０が水平姿勢をとり、操作片１１が垂直姿勢をとる状態が成形時の状態となるように、射出成形によって形成したので、成形金型の構成を簡素化することができ、更なるコスト低減を図ることができる。また、オーバーキャップ５の成形後には、操作片１１の後部に所定の大きさを超える引き上げ力を付与し、操作片１１を、一対のストッパ２１の間を上方へ通過させることで、図４に示したように、操作片１１の下面が一対のストッパ２１に当接した状態にして、容器本体４に固定することができる。
【００３５】
前述したところは本発明の一実施形態を示したにすぎず、特許請求の範囲において、種々の変更を加えることができることは言うまでもない。
【符号の説明】
【００３６】
１  オーバーキャップ付き容器
２  口部
３  密封シート
４  容器本体
５  オーバーキャップ
６  周壁
７  天面壁
８  開口部
９  開封刃
１０  開封刃本体
１１  操作片
１２  刃部
１３  一対の支持片
１４  一対の第１ヒンジ
１５  一対の側壁部
１６  凹溝部
１６ａ  段部
１７  第２ヒンジ
１８  当接部
１９  係合凹部
２０  係合凸部
２１  一対のストッパ
【図１】
0006456660.tif 000002
【図２】
0006456660.tif 000003
【図３】
0006456660.tif 000004
【図４】
0006456660.tif 000005
【図５】
0006456660.tif 000006
【図６】
0006456660.tif 000007
【図７】
0006456660.tif 000008
【図８】
0006456660.tif 000009
【図９】
0006456660.tif 000010
【図１０】
0006456660.tif 000011